(57)【特許請求の範囲】
【請求項１】
車両に前方照射可能に搭載され、アクチュエータにより光軸を調整可能なヘッドランプと、
車両の少なくとも前後方向の傾斜を検出する傾斜検出手段と、
車両のドアの開閉を検出するドア開閉検出手段と、
車両の振動を検出する振動検出手段と、
前記ドア開閉検出手段により車両のドアが開状態にあることが検出され且つ前記振動検出手段により車両の振動幅が所定量未満であることが検出されると、前記傾斜検出手段からの傾斜情報に基づき前記ヘッドランプの光軸を適正に調整する光軸制御手段と、
を備えたことを特徴とするヘッドランプの光軸制御装置。
【請求項２】
さらに、車両の移動を検出する移動検出手段を備え、
前記光軸制御手段は、前記ドア開閉検出手段により車両のドアが閉状態にあることが検出されたときには、該移動検出手段により車両の移動が検出されず且つ前記振動検出手段により車両の振動幅が所定量未満であることが検出されると、前記ヘッドランプの光軸を調整することを特徴とする、請求項１記載のヘッドランプの光軸制御装置。
【請求項３】
さらに、車両の定速走行状態を検出する定速走行検出手段を備え、
前記光軸制御手段は、前記ドア開閉検出手段により車両のドアが閉状態にあることが検出され且つ前記移動検出手段により車両の移動が検出されたときには、該定速走行検出手段により車両の定速走行状態が検出され且つ前記振動検出手段により車両の振動幅が所定量未満であることが検出されると、前記ヘッドランプの光軸を調整することを特徴とする、請求項２記載のヘッドランプの光軸制御装置。
【請求項４】
前記光軸制御手段は、規定回数の範囲内で前記ヘッドランプの光軸を調整することを特徴とする、請求項３記載のヘッドランプの光軸制御装置。
【発明の詳細な説明】
【技術分野】
【０００１】
本発明は、ヘッドランプの光軸制御装置に係り、詳しくは、車両に搭載されたヘッドランプの光軸のずれを自動的に補正する技術に関する。
【背景技術】
【０００２】
車両には前方照射可能にヘッドランプが設けられており、一般に車両の出荷時や点検整備時において当該ヘッドランプの照射方向、即ち光軸を適正な向きに設定するようにしている。
ところで、ヘッドランプの光軸は、上記の如く設定しても乗員数や車両姿勢等に応じて微妙に変化するものであり、その変化量によっては光軸が上に向き過ぎ、知らずして対向車や前走車の運転者を眩惑させてしまうという問題がある。
【０００３】
このようなことから、最近では、主として対向車や前走車の運転者への眩惑防止のため、適宜ヘッドランプの照射方向、即ち光軸を調整可能な装置が開発されており、例えば、ヘッドランプに光軸補正のためのアクチュエータを設け、車速に応じて車両の停止及び走行状態を判別するとともに車高に応じて車両のピッチ角や加速度を演算し、これらの情報から車両の安定状態を判定して車両の停止中または走行中にヘッドランプの光軸を自動的に補正可能とした装置が公知である（特許文献１）。また、車両姿勢の変化や走行路の悪路状態に応じて車両の走行中にヘッドランプの光軸を自動的に補正可能とした装置も公知である（特許文献２）。
【特許文献１】特許第３１２８６０６号公報
【特許文献２】特許第３７２１０１３号公報
【発明の開示】
【発明が解決しようとする課題】
【０００４】
上記特許文献１に開示の装置では、車両の停止時には、車速に応じて車両の停止状態を判別してヘッドランプの光軸を自動的に補正するようにしている。しかしながら、このような構成であると、例えば車両が交差点等で停止したとき、車両が坂路で停止したり車輪が突起物に乗り上げて停止したような場合には、路面に対する車両姿勢ひいては車両のピッチ角が平坦路の場合と異なるため、不必要にヘッドランプの光軸が補正されてしまうという問題がある。
【０００５】
また、上記特許文献２に開示の装置では、走行路が悪路状態であるか否かを車高センサからの情報を演算処理して判別するようにしている。しかしながら、このような構成であると、車両の走行中に常に複雑な演算処理を実施し続けなければならず装置の負担が大きいという問題がある。
また、特許文献１や特許文献２では、ヘッドランプの光軸補正の頻度が高くなることから、光軸補正のためのアクチュエータに高い耐久性能が要求され、耐久性能の低い安価なアクチュエータを使用することができず、一方耐久性能の高いアクチュエータ（ステッピングモータ等）は高価であり、コストが嵩むという問題もある。
【０００６】
本発明はこのような問題点を解決するためになされたもので、その目的とするところは、ヘッドランプの光軸補正を安価にして最小限必要なときに適正に実施可能なヘッドランプの光軸制御装置を提供することにある。
【課題を解決するための手段】
【０００７】
上記した目的を達成するために、請求項１のヘッドランプの光軸制御装置は、車両に前方照射可能に搭載され、アクチュエータにより光軸を調整可能なヘッドランプと、車両の少なくとも前後方向の傾斜を検出する傾斜検出手段と、車両のドアの開閉を検出するドア開閉検出手段と、車両の振動を検出する振動検出手段と、前記ドア開閉検出手段により車両のドアが開状態にあることが検出され且つ前記振動検出手段により車両の振動幅が所定量未満であることが検出されると、前記傾斜検出手段からの傾斜情報に基づき前記ヘッドランプの光軸を適正に調整する光軸制御手段とを備えたことを特徴とする。
【０００８】
請求項２のヘッドランプの光軸制御装置では、請求項１において、さらに、車両の移動を検出する移動検出手段を備え、前記光軸制御手段は、前記ドア開閉検出手段により車両のドアが閉状態にあることが検出されたときには、該移動検出手段により車両の移動が検出されず且つ前記振動検出手段により車両の振動幅が所定量未満であることが検出されると、前記ヘッドランプの光軸を調整することを特徴とする。
【０００９】
請求項３のヘッドランプの光軸制御装置では、請求項２において、さらに、車両の定速走行状態を検出する定速走行検出手段を備え、前記光軸制御手段は、前記ドア開閉検出手段により車両のドアが閉状態にあることが検出され且つ前記移動検出手段により車両の移動が検出されたときには、該定速走行検出手段により車両の定速走行状態が検出され且つ前記振動検出手段により車両の振動幅が所定量未満であることが検出されると、前記ヘッドランプの光軸を調整することを特徴とする。
【００１０】
請求項４のヘッドランプの光軸制御装置では、請求項３において、前記光軸制御手段は、規定回数の範囲内で前記ヘッドランプの光軸を調整することを特徴とする。
【発明の効果】
【００１１】
請求項１のヘッドランプの光軸制御装置によれば、ドア開閉検出手段により車両のドアが開状態にあることが検出され且つ振動検出手段により車両の振動幅が所定量未満であることが検出されると、光軸制御手段によりヘッドランプの光軸を適正に調整するので、車両のドアが開状態にあるときには乗員が乗降中であって車両の傾斜が変化しヘッドランプの光軸が変化している状況と考えられるが、車両の振動幅が所定量未満になるほど車両が振動しなくなれば乗員の乗降が終了して車両姿勢が安定したとみなすことができ、このときヘッドランプの光軸を適正に調整することにより、ヘッドランプの光軸補正を車両の発進前の最小限必要なときにのみ適正に実施でき、ヘッドランプのアクチュエータの作動頻度を低く抑えて当該アクチュエータの耐久劣化を防止することができる。また、アクチュエータの作動頻度を低く抑えることで、アクチュエータを高い耐久性能を必要としない安価なもので構成することができる。
【００１２】
請求項２のヘッドランプの光軸制御装置によれば、ドア開閉検出手段により車両のドアが閉状態にあることが検出されたとき、移動検出手段により車両の移動が検出されず且つ振動検出手段により車両の振動幅が所定量未満であることが検出されると、光軸制御手段によりヘッドランプの光軸を適正に調整するので、車両のドアが閉状態にあるときであっても未だ車両が移動していないような場合には、乗員の乗降がなく、このとき車両の振動幅が所定量未満になるほど車両が振動していなければ車両姿勢は安定しているとみなすことができ、ヘッドランプの光軸を適正に調整することにより、やはりヘッドランプの光軸補正を車両の発進前の最小限必要なときにのみ適正に実施できる。
【００１３】
従って、例えば、乗員が車両から降りることなくイグニションスイッチを一旦切って車両を停止した後、車両のドアを開けることなくそのままイグニションスイッチを入れた場合であっても、車両の発進前にヘッドランプの光軸を適正に調整することが可能である。
請求項３のヘッドランプの光軸制御装置によれば、ドア開閉検出手段により車両のドアが閉状態にあることが検出され且つ移動検出手段により車両の移動が検出されたとき、定速走行検出手段により車両の定速走行状態が検出され且つ振動検出手段により車両の振動幅が所定量未満であることが検出されると、光軸制御手段によりヘッドランプの光軸を適正に調整するので、車両のドアが閉状態にあって車両が移動しているような場合であっても、車両が定速走行しており且つ車両の振動幅が所定量未満になるほど車両が振動していなければ車両姿勢は安定しているとみなすことができ、やはりヘッドランプの光軸補正を最小限必要なときにのみ適正に実施できる。
【００１４】
これにより、例えば、車両の発進前に実施したヘッドランプの光軸補正が路面の傾斜や縁石への乗り上げ等によって適正なものでなかったとしても、ヘッドランプの光軸を車両の走行中において調整し直すことが可能である。
請求項４のヘッドランプの光軸制御装置によれば、車両の走行中は、光軸制御手段により規定回数の範囲内でヘッドランプの光軸を調整するので、やはりヘッドランプの光軸補正を最小限必要なときにのみ適正に実施できる。
【発明を実施するための最良の形態】
【００１５】
以下、本発明の実施形態を添付図面に基づき説明する。
図１を参照すると、車両に搭載された本発明に係るヘッドランプの光軸制御装置の概略構成図が示されている。
同図に示すように、車両１には、前部に位置して左右一対のヘッドランプ１０、１０が設置されており、当該ヘッドランプ１０にはそれぞれヘッドランプ１０の照射方向、即ち光軸を適正な向きに調整するためのアクチュエータ１２が設けられ、アクチュエータ１２は電子コントロールユニット（ＥＣＵ）２０に接続されている。
【００１６】
なお、車両１は例えば４ドア車であって、乗員乗降用の一対のフロントドア２、２及び一対のリヤドア４、４を有している。
ここで、図２を参照すると、ヘッドランプ１０の詳細図が示されており、当該ヘッドランプ１０の構成について簡単に説明する。
ヘッドランプ１０は、ソケットを介して電球１６が取り付けられたリフレクタユニット１５が外殻１４の上部の支持部１４ａに回動自在に支持され、リフレクタユニット１５の下側に上記アクチュエータ１２が配設されて構成されている。
【００１７】
アクチュエータ１２は、例えば電動ロッドシリンダであって、電圧に応じてロッド１３が伸縮可能である。一方、リフレクタユニット１５の下部には、下方に延びてブラケット１８が設けられており、当該ブラケット１８に上記アクチュエータ１２のロッド１３の先端が連結されている。
このようにアクチュエータ１２とリフレクタユニット１５とが構成されていることで、アクチュエータ１２のロッド１３が伸縮或いは出没作動すると、ブラケット１８を介してリフレクタユニット１５が支持部１４ａ回りで揺動し、図中に矢印で示すように、ヘッドランプ１０の光軸Ｘが上下に変化する。これにより、ＥＣＵ２０からの指令によりアクチュエータ１２を作動させることによってヘッドランプ１０の光軸を調整可能である。
【００１８】
ＥＣＵ２０は、車両駆動用のエンジン（図示せず）や本発明に係るヘッドランプの光軸制御装置等の総合的な制御を行うための制御装置である。
ヘッドランプの光軸制御装置に関していえば、ＥＣＵ２０には、バッテリ（図示せず）が電源として接続されるとともに、その入力側には、ＥＣＵ２０を含め車両１の電装系統を起動させるためのイグニションスイッチ（ＩＧＮ  ＳＷ、図示せず）の他、前輪軸近傍及び後輪軸近傍にそれぞれ設けられて地面からの高さ位置を検出する車高センサ３０、３２、車両１の一対のフロントドア２、２及び一対のリヤドア４、４にそれぞれ設けられてドアの開閉を検出する一対のドアセンサ（ドア開閉検出手段）３４、３４及び一対のドアセンサ（ドア開閉検出手段）３６、３６、車両１の移動距離を検出する距離センサ（移動検出手段）３８、エンジン回転速度Ｎeを検出するエンジン回転速度センサ４０、エンジンひいては車両１の加速操作を行うアクセルペダルの操作量を検出するアクセルセンサ（ＡＰＳ）４２等の各種センサ類が接続されている。なお、上記各センサ類は公知のものであり、詳細については説明を省略する。
【００１９】
一方、ＥＣＵ２０の出力側には、上述の如くヘッドランプ１０のアクチュエータ１２の他、各種デバイス類が接続されている。
以下、このように構成された本発明に係るヘッドランプの光軸制御装置の作動及び作用効果について説明する。
図３を参照すると、ＥＣＵ２０により実行される本発明に係るヘッドランプの光軸制御装置の光軸制御の制御ルーチンがフローチャートで示されており（光軸制御手段）、以下同フローチャートに沿い説明する。
【００２０】
ステップＳ１０においてイグニションスイッチ（ＩＧＮ  ＳＷ）がオンであることが確認されると、光軸制御が開始される。
ステップＳ１２では、距離センサ３８により検出されてＥＣＵ２０内のメモリに積算され記憶されている移動距離データを一旦リセットする。
ステップＳ１４では、エンジンが停止状態にあるか否かを判別する。具体的には、エンジン回転速度センサ４０からの情報に基づき、エンジン回転速度Ｎeが値０であることを検出する。判別結果が真（Ｙｅｓ）でエンジンが停止状態と判定された場合には、ステップＳ１６に進む。
【００２１】
ステップＳ１６では、車両１において車体が振動していないか否かを判別する。具体的には、車高センサ３０、３２からの情報に基づき、前輪軸近傍及び後輪軸近傍の地面からの高さ位置、即ち車高が変動し、その振動幅が所定量未満であるか否かを判別する（振動検出手段）。判別結果が偽（Ｎｏ）で、例えば車両１内で乗員が移動等しており、車体が振動していると判定された場合には、そのまま上記ステップＳ１４に戻る。一方、判別結果が真（Ｙｅｓ）で車体が振動していないと判定された場合には、車両１は車両姿勢が安定しているとみなし、ステップＳ１８に進み、ステップＳ１８以降においてヘッドランプ１０の光軸補正を実施する。
【００２２】
ヘッドランプ１０の光軸補正においては、車高センサ３０、３２からの情報に基づき、これら車高センサ３０、３２により検出された車高Ｈf、Ｈrと車高センサ３０、３２の離間距離（例えば、ホイールベース）Ｌ（図１参照）とから車両１の前後方向の傾斜角（ピッチ角）を算出し（傾斜検出手段）、当該算出した傾斜角と予め設定した基準傾斜角との間に角度差が生じている場合に、その角度差に相当する分だけ光軸を補正するように図っている。
【００２３】
光軸補正を実施するに当たっては、先ずステップＳ１８において、車高センサ３０、３２により検出された車高Ｈf、Ｈrをフィルタ処理（例えば、加重平均）し、車高Ｈf、Ｈrの平準化を図るようにする。
ステップＳ２０では、当該フィルタ処理した車高Ｈf、Ｈrに基づき、上記車両１の前後方向の傾斜角を算出し、当該算出した傾斜角と予め設定した基準傾斜角との角度差に基づいて光軸を補正するための目標値を算出する。
【００２４】
詳しくは、支点間距離Ｄとアクチュエータ１２のロッド１３の伸縮量Ｓ（図２参照）とからは下記式(1)に基づき光軸Ｘの光軸補正角が求まり、上記車両１の前後方向の傾斜角の角度差は当該光軸補正角に対応していることから、式（１）において光軸補正角に車両１の前後方向の傾斜角の角度差を代入し、式（１）を逆算することでロッド１３の伸縮量Ｓを目標値として算出する。
【００２５】
光軸補正角＝ｔａｎ−１（伸縮量Ｓ／支点間距離Ｄ）      …(1)
そして、ステップＳ２２において、ロッド１３の伸縮量Ｓが当該目標値となるようアクチュエータ１２を駆動させる。
即ち、エンジンが停止状態にあり且つ車体が振動していない場合には、車両１は停止中であって車両姿勢が安定しており、ヘッドランプ１０の光軸補正を行うのに適した時期とみなすことができ、ヘッドランプ１０の光軸補正を実施するようにする。
【００２６】
一方、上記ステップＳ１４の判別結果が偽（Ｎｏ）でエンジンが停止状態になく作動中と判定された場合には、ステップＳ２４に進む。
ステップＳ２４では、車両１の全てのフロントドア２、リヤドア４が閉状態にあるか否かを判別する。判別結果が偽（Ｎｏ）で、フロントドア２及びリヤドア４のいずれか一つが開状態にあると判定された場合には、ステップＳ２６に進み、改めて移動距離データをリセットした後、上記ステップＳ１６以降に進み、上記同様にヘッドランプ１０の光軸補正を行う。
【００２７】
即ち、フロントドア２及びリヤドア４のいずれか一つが開状態にある場合には、車両１は乗員が乗降中であって車両１の前後方向の傾斜角が変化しヘッドランプ１０の光軸が変化している状況と考えられるところ、車体が振動しなくなれば、車両１は車両姿勢が安定し、ヘッドランプ１０の光軸補正を行うのに適した時期とみなすことができ、ヘッドランプ１０の光軸補正を実施するようにする。
【００２８】
一方、ステップＳ２４の判別結果が真（Ｙｅｓ）で、全てのフロントドア２、リヤドア４が閉状態にあると判定された場合には、ステップＳ２８に進む。
ステップＳ２８では、距離センサ３８からの情報に基づき車両１が移動していないか否かを判別する。判別結果が真（Ｙｅｓ）で車両１が移動していないと判定された場合には、ステップＳ３０に進む。
【００２９】
ステップＳ３０では、アクセルセンサ４２からの情報に基づき、アクセルペダルが操作されておらずアクセルが閉状態であるか否かを判別する。判別結果が真（Ｙｅｓ）でアクセルが閉状態と判定された場合には、上記ステップＳ１６以降に進み、ヘッドランプ１０の光軸補正を行う。
即ち、フロントドア２及びリヤドア４の全てが閉状態にあり、車両１が移動していないような場合、例えば乗員が乗降せずに車両１を停止してエンジンを停止した後、車両１のドアを開けることなくそのままエンジンを始動した直後のような場合には、車体が振動していなければ、車両１は車両姿勢が安定しており、やはりヘッドランプ１０の光軸補正を行うのに適した時期とみなすことができ、ヘッドランプ１０の光軸補正を実施するようにする。
【００３０】
このように、本発明に係るヘッドランプの光軸制御装置によれば、エンジンが停止しているときのみならず、フロントドア２及びリヤドア４のいずれか一つが開状態にあるとき、或いは全てのフロントドア２、リヤドア４が閉状態にある場合であっても車両１が移動していないとき、車体が振動していなければ、車両１は車両姿勢が安定しておりヘッドランプ１０の光軸補正を行うのに適した時期にあるとみなしてヘッドランプ１０の光軸補正を実施するようにしている。
【００３１】
従って、ヘッドランプ１０の光軸補正を車両１の発進前の最小限必要なときに適正に実施するようにでき、ヘッドランプ１０のアクチュエータ１２の作動頻度を低く抑えて当該アクチュエータ１２の耐久劣化を防止することができる。
また、アクチュエータ１２の作動頻度を低く抑えることができることから、アクチュエータ１２を高い耐久性能を必要としない電動ロッドシリンダ等の安価なもので構成することができる。
【００３２】
一方、このように、ヘッドランプ１０の光軸補正は車両１の発進前の最小限必要なときに適正に実施されるのであるが、その光軸補正の際に例えば路面が傾斜していたり、車輪が縁石等に乗り上げていたりした場合には、既に実施したヘッドランプ１０の光軸補正が適正なものでないこともあり得る。
そこで、上記ステップＳ２８の判別結果が偽（Ｎｏ）で車両１が移動していると判定された場合であっても、ステップＳ３２以降においてヘッドランプ１０の光軸補正を再度補助的に実施するようにしており、以下引き続き説明する。
【００３３】
ステップＳ３２では、車両１の移動中におけるヘッドランプ１０の光軸補正の実施回数、即ちアクチュエータ１２の駆動回数が規定駆動回数（例えば、１〜３回）内であるか否かを判別する。このようにヘッドランプ１０の光軸補正の実施回数を制限するのは、上記の如く車両１の移動中におけるヘッドランプ１０の光軸補正の実施が補助的なものであって最小限の実施に抑えるためである。判別結果が真（Ｙｅｓ）でアクチュエータ１２の駆動回数が規定駆動回数内であると判定された場合には、ステップＳ３４に進む。
【００３４】
ステップＳ３４では、アクセルセンサ４２からの情報に基づき、アクセルペダルが操作されてアクセルが開状態でありながらもエンジン回転速度Ｎeが所定の低回転速度Ｎ1未満の範囲内であるか否かを判別する。つまり、ここでは車両１が急加速等することなく低速で定速走行しているか否かを判別する（定速走行検出手段）。判別結果が真（Ｙｅｓ）で車両１が定速走行により安定走行していると判定される場合にはステップＳ３６に進む。ステップＳ３６では、上記ステップＳ１６と同様に車両１の車体が振動していないか否かを判別し、判別結果が真（Ｙｅｓ）の場合にはステップＳ３８以降に進み、ヘッドランプ１０の光軸補正を実施する。
【００３５】
ステップＳ３８では、上記ステップＳ１８と同様に、車高センサ３０、３２により検出された車高Ｈf、Ｈrをフィルタ処理（例えば、加重平均）する。なお、この場合には車両１は走行中であることから、フィルタ処理の度合い（例えば、フィルタリング係数）は通常は車両１が停止中の上記ステップＳ１８の場合とは異なっている。
そして、ステップＳ４０では、上記ステップＳ２０と同様にして光軸を補正するための目標値を算出し、ステップＳ４２では、上記ステップＳ２２と同様にして当該目標値となるようアクチュエータ１２を駆動させる。
【００３６】
即ち、フロントドア２及びリヤドア４の全てが閉状態にあって車両１が移動中であっても、車両１が安定走行している場合には、車両１は車両姿勢が安定しておりヘッドランプ１０の光軸補正を行うのに適した時期にあるとみなし、アクチュエータ１２の規定駆動回数内でヘッドランプ１０の光軸補正を実施するようにしている。
従って、車両１の停止中において実施したヘッドランプ１０の光軸補正が適正でない場合であっても、ヘッドランプ１０の光軸補正を最小限必要なときに限定しながら再度実施して矯正することができる。
【００３７】
一方、ステップＳ３２の判別結果が偽（Ｎｏ）でアクチュエータ１２の駆動回数が規定駆動回数を超えていると判定された場合、ステップＳ３４の判別結果が偽（Ｎｏ）で車両１が安定走行していないと判定された場合、ステップＳ３６の判別結果が偽（Ｎｏ）で車体が振動していないと判定された場合には、そのまま上記ステップＳ１４に戻る。
以上説明したように、本発明に係るヘッドランプの光軸制御装置によれば、安価なアクチュエータ１２を用いながら、ヘッドランプ１０の光軸補正を最小限必要なときにのみ適正に実施することが可能となる。
【００３８】
以上で本発明に係るヘッドランプの光軸制御装置の実施形態の説明を終えるが、実施形態は上記に限られるものではない。
例えば、上記実施形態では、エンジンが停止状態になく作動中と判定された場合に、車両１の全てのフロントドア２、リヤドア４が閉状態にあるか否かを判別するようにしているが（ステップＳ２４）、エンジンが停止中か否かに拘わらず車両１の全てのフロントドア２、リヤドア４が閉状態にあるか否かを判別して光軸補正の実施可否を判断するようにしてもよい。
【００３９】
また、上記実施形態では、全てのフロントドア２、リヤドア４が閉状態にあると判定された場合には、車両１が移動していないと判定され（ステップＳ２８）且つアクセルが閉状態であるとき（ステップＳ３０）にヘッドランプ１０の光軸補正を実施するようにしているが、必要なければアクセルが閉状態であるか否かの判別は省略するようにしてもよい。
【００４０】
また、上記実施形態では、車両１の移動中に光軸補正を行う場合、アクチュエータ１２の駆動回数が規定駆動回数内であるか否かを判別するようにしているが、アクチュエータ１２の作動頻度が低いことが予測できるような場合には、必ずしもアクチュエータ１２の駆動回数を特に制限しなくてもよい。
また、上記実施形態では、車両１の前後方向において上下に光軸補正を実施する場合を説明したが、これに限られず、可能であれば上下左右に光軸補正を実施するようにしてもよい。
【００４１】
また、上記実施形態では、車両１は例えば４ドア車であって、フロントドア２、リヤドア４にそれぞれドアセンサ３４、３６を有しているが、車両１は３ドア車や５ドア車等いずれであってもよく、ドア数に応じてドアセンサを増減すればよい。
【図面の簡単な説明】
【００４２】
【図１】車両に搭載された本発明に係るヘッドランプの光軸制御装置の概略構成図である。
【図２】ヘッドランプの詳細図である。
【図３】本発明に係るヘッドランプの光軸制御装置の光軸制御の制御ルーチンを示すフローチャートである。
【符号の説明】
【００４３】
１  車両
２  フロントドア
４  リヤドア
１０  ヘッドランプ
１２  アクチュエータ
２０  電子コントロールユニット（ＥＣＵ）
３０、３２  車高センサ
３４、３６  ドアセンサ
３８  距離センサ
４０  エンジン回転速度センサ
４２  アクセルセンサ（ＡＰＳ）
【図１】
0004914865.tif 000002
【図２】
0004914865.tif 000003
【図３】
0004914865.tif 000004